(57)【要約】【課題】堆、厩肥の散布機にあっては、供給ホッパーにおける堆肥や厩肥等が均等に繰込まれ難く、均一散布を維持し難い。このため、供給ホッパー内に繰込リールを設ける形態にあっても、作業者が手操作によって、この繰込リール部への堆肥供給操作を補助することが多い。このような作業者による供給補助操作や、機械使用後の洗浄、掃除作業等においては、作業者が供給ホッパー部に手を差込むことが多く危険である。【解決手段】供給ホッパー１の供給板２面に接近して回転して堆肥を掻込む繰込リール３のフィンガー４を弾性体で構成したことを特徴とする堆肥散布機の供給ホッパーの構成とする。【選択図】図１
2009065841.tif 000002
【特許請求の範囲】
【請求項１】
供給ホッパー（１）の供給板（２）面に接近して回転して堆肥を掻込む繰込リール（３）のフィンガー（４）を弾性体で構成したことを特徴とする堆肥散布機の供給ホッパー。
【請求項２】
前記フィンガー（４）は、基部に芯金フィンガー（５）を有し、この芯金フィンガー（５）を基部に埋設して突出のゴム製の弾性フィンガー（６）を形成したことを特徴とする請求項１に記載の堆肥散布機の供給ホッパー。
【発明の詳細な説明】
【技術分野】
【０００１】
この発明は、堆、厩肥を圃場面に散布する堆肥散布機の供給ホッパーに関し、この供給ホッパーにおける繰込リールの回転による繰込供給を円滑に、かつ安全に行わせるものである。
【背景技術】
【０００２】
堆肥散布機の供給ホッパー内部に、供給された堆肥、厩肥等を繰込む繰込リールを設ける技術（例えば、特許文献１参照）が知られている。
【特許文献１】特許第３９２２５７８号公報（第２頁、図２）
【発明の開示】
【発明が解決しようとする課題】
【０００３】
堆、厩肥の散布機にあっては、供給ホッパーにおける堆肥や厩肥等が均等に繰込まれ難く、均一散布を維持し難い。このため、供給ホッパー内に繰込リールを設ける形態にあっても、作業者が手操作によって、この繰込リール部への堆肥供給操作を補助することが多い。このような作業者による供給補助操作や、機械使用後の洗浄、掃除作業等においては、作業者が供給ホッパー部に手を差込むことが多く危険である。
【課題を解決するための手段】
【０００４】
請求項１に記載の発明は、供給ホッパー１の供給板２面に接近して回転して堆肥を掻込む繰込リール３のフィンガー４を弾性体で構成したことを特徴とする堆肥散布機の供給ホッパーの構成とする。供給ホッパー１に堆肥や厩肥等を供給した状態、乃至供給しながら繰込リール３を駆動させて、堆肥等の繰込作用を行わせて散布作業を行う。この供給ホッパーにおける繰込作用は、供給板２上に供給される堆肥等が繰込リール３の回転によって、各フィンガー４により掻取分離されるようにして繰込まれる。この供給板２上の堆肥量が多いときは、各フィンガー４の弾性作用によって少量毎に分離するようして掻取しながら繰込む。又、このフィンガー４は弾性フィンガー材から構成されているため回転によって先端部がたとえ供給板２に接触しても撓んで、抵抗を逃がしてくれる。
【０００５】
請求項２に記載の発明は、前記フィンガー４は、基部に芯金フィンガー５を有し、この芯金フィンガー５を基部に埋設して突出のゴム製の弾性フィンガー６を形成したことを特徴とする堆肥散布の機供給ホッパーの特徴とする。前記繰込リール３の回転によって供給ホッパー１の供給板２上の堆肥等を繰込乃至掻込むが、このフィンガー４は、基部に芯金フィンガー５を埋設した弾性フィンガー６とするため、この弾性フィンガー６で堆肥等を掻込むときは、過大の掻込負荷を逃がしながら、堆肥を少量毎に掻取分離するようにして繰込む。しかも、この弾性フィンガー６は、基部に芯金フィンガー５を埋設しているため、この弾性フィンガー６の長さ等に応じて適度の剛性力を維持させて、堆肥等の掻込力を維持し、供給板２上の堆肥量に応じた掻込力、掻込量を発  する。
【発明の効果】
【０００６】
請求項１に記載の発明は、繰込リール３のフィンガー４を弾性材で構成するため、このフィンガー４の回転先端部を供給ホッパー１の供給板２により接近させた状態で回転させて繰込作用を行わせることができ、又、供給板２上の堆肥等の供給量が多い場合や、堆肥塊があるときは、少量毎掻取るように分離して、捌きながら掻込むことができ、堆肥の供給状態に拘らず繰込、散布を均等に行い、安定させることができる。又、フィンガー４の先端部が供給板２に接近して回転するにも拘らず、この弾性作用によって過大負荷時の強制的掻込作用を逃がすことができ、安全な作業を行うことができる。
【０００７】
請求項２に記載の発明は、弾性フィンガー６の基部には、芯金フィンガー５を埋設するため、フィンガー４の長さに渡って適度の剛性力を維持させて、供給板２上の供給堆肥量に応じた掻込力を発  させることができ、堆肥を少量毎掻取掻込分離しながら、しかも安全に作用を行わせることができる。
【発明を実施するための最良の形態】
【０００８】
図例に基づいて、堆肥散布機は、エンジン７によって駆動走行する左右一対のクローラ８を有した車体９の前側に供給ホッパー１を搭載し、後方に操縦ハンドル１０を設けて、作業者Ｍがこのハンドル１０を歩行操縦しながら堆肥散布作業を行わせることができる。供給ホッパー１内には、堆肥を載せる供給板２、及びこの供給板２側から供給される堆肥を繰込む繰込リール３や、この繰込まれる堆肥をホッパ出口１１へ掻込む掻込ロータ１２等を設ける。このホッパ出口１１の下側には、拡散翼１３を設け、この拡散翼１３の伝動回転により、該ホッパ出口１１から掻出される堆肥を受けて、前側の散布口１４から前方へ拡散放出して圃場面に散布させる。この供給ホッパー１内に供給する堆肥や、厩肥等は主として後側の供給板２上に載置しておき、繰込リール３の回転によって供給ホッパー１内部下部へ掻き込ませる。この繰込まれた堆肥等は下部で回転の掻込ロータ１２によって捌きながら底部ホッパー出口１１から拡散翼１３上面に掻出して散布させる。
【０００９】
前記掻込みロータ１２はホッパー底部の出口１１上で回転して堆肥の繰出作用を行うものであるが、この掻込ロータ１２に大きい堆肥重量がかかったり、多量の堆肥が高密度に堆積すると、掻込ロータ１２が回転し難く、堆肥掻出性が悪くなり易いため、この上方部の繰込リール３によって、堆肥を捌きながら適度量に繰込んで、掻込ロータ１２による堆肥繰出を円滑に、均一状態に維持させる。
【００１０】
ここにおいて、この発明に係る堆肥供給ホッパーは、供給ホッパー１の供給板２面に接近して回転して堆肥を掻込む繰込リール３のフィンガー４を弾性体で構成したことを特徴とする堆肥散布機の供給ホッパーの構成とする。
【００１１】
又、前記フィンガー４は、基部に芯金フィンガー５を有し、この芯金フィンガー５を基部に埋設して突出のゴム製の弾性フィンガー６を形成したことを特徴とする。
【００１２】
前記供給ホッパー１は、漏斗形態に構成して、後側部に供給板２、及びこの供給板２の上部に軸支１５する供給案内板１６を形成する。この供給板２は、掻込ロータ１２の後部上に比較的急勾配に形成し、この上端部の供給案内板１６は、作業者Ｍが把持して操作可能のハンドル１７を上端部に有して、上下回動乃至回動揺動可能の形態として、この供給板２の勾配よりも急にしたり、又緩く操作することができ、上面に載せた堆肥の供給具合を加減することができる。堆肥の供給量が多いときや、供給開始等は、供給案内板１６の角度を緩くし、堆肥量が少なくなると急傾斜にしたり、供給案内板１６のハンドル１７を持って揺動させたりして流下、乃至供給し易い傾斜に操作する。前記繰込リール３は、リール軸１８の周りにフィンガー４を配置したもので、このフィンガー４の先端回転域を供給板２の上端部面に接近させて回転させる。
【００１３】
この繰込リール３のフィンガー４は、リール軸１８と一体の芯金フィンガー５を設け、この芯金フィンガー５の外周にゴム製の適宜弾性係数に設定の弾性フィンガー６を一体的に成形して、芯金フィンガー５先端に弾性フィンガー６を突出させる。この弾性フィンガー６の先端側は掻込抵抗を受けて芯金フィンガー５部に対して、撓むことができ、過大の堆肥掻込抵抗を逃がすことができる。この弾性フィンガー６の堆肥掻込作用において、供給板２上、乃至供給案内板１６の終端部上に多量の堆肥が供給されているときは、この堆肥を掻くときの抵抗力によって弾性により撓んで、屈曲しながら堆肥を掻込むこととなり、堆肥はこのフィンガー４によって少量毎掻取られるような形態として下側の掻込ロータ１２側へ繰込まれる。従って、この弾性フィンガー６を有するフィンガー４によって掻込まれる堆肥は、塊状態であっても分離されて捌かれた状態に繰込まれて、掻込ロータ１２による掻込、拡散翼１３による拡散放出を受け易い状態となる。このような形態の弾性フィンガー６は堆肥繰込の抵抗を受けて歪んでも、心金フィンガー５を基部に埋設する形態に構成しているため、弾性フィンガー６先端部の破損部等が行われ難く、弾性フィンガー６の円滑な撓みを維持し、供給案内板１６側からの堆肥供給量が多いときは、これに応じて堆肥層への係合深さを深くして掻込量を多くすることができる。
【００１４】
又、この堆肥繰込作用時には、作業者が、供給案内板１７上や、ホッパー１内上部等の堆肥を繰込リール３の回転域へ供給したり、掃除等のメンテナンス時に、この繰込リール３の回転域に手が触れたり、衣服等が触れることがあっても、この弾性フィンガー６の弾性作用によって強制的な掻込を防止して安全な作業を行うことができる。又、このため、堆肥の供給補助操作や、メンテナンス等を行い易くするものである。
【００１５】
又、前記芯金フィンガー５に弾性フィンガー６を設ける場合に、ゴム製の弾性フィンガー６内に埋設成形Ａするように構成するもよく、又、ゴム製の弾性フィンガー６をチューブ形態に成形してＢ、この弾性フィンガー６の中空部１９を芯金フィンガー５に差込んで抜止めする構成とすることも可能である。このチューブ形態の弾性フィンガー６を設ける形態Ｂでは、摩耗、損傷時等における交換を行い易くすることができる。
【図面の簡単な説明】
【００１６】
【図１】堆肥散布機の側面図。
【図２】その供給ホッパー部の側断面図。
【図３】その平面図。
【図４】その繰込リール部の側面図と、フィンガーの拡大側面図。
【符号の説明】
【００１７】
１    供給ホッパー
２    供給板
３    繰込リール
４    フィンガー
５    芯金フィン
６    弾性フィンガー
【図１】
2009065841.tif 000003
【図２】
2009065841.tif 000004
【図３】
2009065841.tif 000005
【図４】
2009065841.tif 000006